(57)【要約】  【課題】  画面が明るく安価な表示装置を提供すること、および元画像に対し加筆された加筆画像を読取装置により精度高く読み取らせることができる表示装置および表示制御プログラムを提供すること。  【解決手段】  表示装置１０によれば、加筆画像８をスキャナなどの読取装置に読み取らせる場合には、読み取りモード手段により、元画像５が消去されるので、元画像５と加筆画像とが重なることがなく、スキャナなどの読取装置により加筆画像８を精度高く読み取らせることができる。さらに、表示画面２ａには白色の背景６が表示されるので、入力部３に加筆された加筆画像８と表示画面２ａとのコントラストが高くなり、加筆画像８をより精度高く読み取らせることができる。  【選択図】    図３
2006113232.tif 000002
【特許請求の範囲】
【請求項１】
文字または画像を表示可能な表示画面と、文字または画像に関する元画像情報を記憶する元画像情報記憶手段と、その元画像情報記憶手段に記憶された元画像情報に基づく元画像を前記表示画面へ表示する元画像表示手段と、前記表示画面に設けられ加筆および消去が可能な光透過性の入力部とを備えた表示装置において、
その表示装置は、前記入力部に加筆された加筆画像または前記表示画面に表示された画像を読取装置により読み取らせて読取データを作成させるものであり、
前記元画像表示手段により前記表示画面に元画像が表示された状態で前記入力部に加筆された加筆画像を前記読取装置に読み取らせる場合に、加筆画像を読み取りやすいように、前記表示画面の表示内容を変化させる読取モード手段を備えたことを特徴とする表示装置。
【請求項２】
前記読取モード手段は、前記加筆画像を読取装置に読み取らせる場合に、元画像の読み取り感度が低下するように表示画面の表示内容を変化させるものであることを特徴とする請求項１記載の表示装置。
【請求項３】
前記読取モード手段は、前記加筆画像を読取装置に読み取らせる場合に、元画像の読み取り感度が実質的になくなるように表示画面の表示内容を変化させるものであることを特徴とする請求項１または２に記載の表示装置。
【請求項４】
前記読取モード手段は、前記表示装置の表示画面から前記元画像を消去して、加筆画像を読み取り易いように表示画面の表示内容を変化させるものであることを特徴とする請求項１から３のいずれかに記載の表示装置。
【請求項５】
前記入力部と前記表示画面との外周を支持する枠体を有し、前記読取装置に読み取られることにより表示画面に対する加筆画像の位置を示す位置マークが、その枠体のうち前記入力部が露出された面の所定位置に予め設けられているものであることを特徴とする請求項１から４のいずれかに記載の表示装置。
【請求項６】
前記読取モード手段は、前記読取装置に読み取られることにより表示画面に対する加筆画像の位置を示す位置マークを前記表示画面へ表示するものであることを特徴とする請求項１から４のいずれかに記載の表示装置。
【請求項７】
前記読取モード手段により、前記表示画面に表示される前記位置マークは、所定の間隔を空けて格子状にされた複数の直線から構成されることを特徴とする請求項６記載の表示装置。
【請求項８】
前記読取モード手段により表示画面の表示内容を変化させた後、前記入力部に加筆された加筆画像と、前記加筆画像の位置を示す位置マークとを前記読取装置に読み取らせて読取データを作成させる読取データ作成手段と、
その読取データ作成手段により作成された読取データを前記読取装置から受信する読取データ受信手段と、
その読取データ受信手段により受信された読取データに含まれる前記加筆画像に関する加筆画像情報と前記元画像情報記憶手段により記憶された元画像情報とを、前記位置マークに基づいて位置合わせして合成し合成画像情報を生成する合成画像情報生成手段とを備えたことを特徴とする請求項５から７のいずれかに記載の表示装置。
【請求項９】
前記入力部は、ハードコート処理がされた無色のプラスチックフィルムから構成されることを特徴とする請求項１から８のいずれかに記載の表示装置。
【請求項１０】
前記読取モード手段は、前記表示画面から元画像を消去させて、且つ前記読取装置に読み取られることにより表示画面に対する加筆画像の位置を示す位置マークを表示するものであり、
その読取モード手段により元画像を消去させて前記位置マークを表示した後、前記入力部に加筆された加筆画像と前記位置マークとを前記読取装置に読み取らせ、読取データを作成させる読取データ作成手段と、
その読取データ作成手段により作成された読取データを前記読取装置から受信する読取データ受信手段と、
その読取データ受信手段により受信された読取データに含まれる前記位置マークに基づいて、前記表示画面に対する加筆画像の位置を決定する加筆画像位置決定手段と、
前記読取データ作成手段により前記読取データを作成させた後、前記表示画面から前記位置マークを消去する位置マーク消去手段と、
その位置マーク消去手段により位置マークを消去した後、前記入力部に加筆された加筆画像を前記読取装置に読み取らせ、本スキャンデータを作成させる本スキャンデータ作成手段と、
その本スキャンデータ作成手段により作成された本スキャンデータを前記読取装置から受信する本スキャンデータ受信手段と、
その本スキャンデータ受信手段により受信された本スキャンデータに含まれる加筆画像に関する加筆画像情報と前記元画像情報記憶手段に記憶された元画像情報とを、前記加筆画像位置決定手段により決定された表示画面に対する加筆画像の位置に基づいて合成し合成画像情報を生成する合成画像情報生成手段とを備えたことを特徴とする請求項１記載の表示装置。
【請求項１１】
前記読取装置は読み取りの開始の前に、前記表示装置に対し読み取りの開始を知らせる開始データを送信するものであって、前記表示装置は、読取装置から送信された開始データを受信する開始データ受信手段を有し、
前記読取モード手段は、その開始データ受信手段により開始データを受信したことに基づいて、表示画面の表示内容を変化させるものであることを特徴とする請求項１から１０のいずれかに記載の表示装置。
【請求項１２】
画像を表示可能な表示画面と、その表示画面に設けられ加筆および消去が可能な光透過性の入力部とを備えた表示装置と、その表示装置の入力部に加筆された加筆画像または前記表示画面に表示された画像を読み取り可能な読取装置とに接続されたコンピュータで実行される表示制御プログラムにおいて、
文字又は画像に関する元画像情報をメモリに記憶させる元画像情報記憶ステップと、
その元画像情報記憶ステップによりメモリに記憶された元画像情報を前記表示装置に送信し、その元画像情報に基づく元画像を前記表示装置の表示画面へ表示させる元画像表示ステップと、
前記元画像表示ステップにより前記表示画面に元画像が表示された状態で前記入力部に加筆された加筆画像を前記読取装置に読み取らせて読取データを作成させる場合に、加筆画像を読み取りやすいように表示装置の表示画面の表示内容を変化させる読取モードステップとして、前記コンピュータを機能させることを特徴とする表示制御プログラム。
【請求項１３】
前記読取モードステップは、前記表示装置の表示画面から元画像を消去させることにより加筆画像を読み取りやすいように表示装置の表示画面の表示内容を変化させるものであることを特徴とする請求項１２記載の表示制御プログラム。
【請求項１４】
前記読取モードステップは、加筆画像を読み取りやすいように表示装置の表示画面の表示内容を変化させ、読取装置に読み取られることにより表示画面に対する加筆画像の位置を示す位置マークを表示装置の表示画面へ表示させるものであることを特徴とする請求項１２または１３に記載の表示制御プログラム。
【請求項１５】
前記読取モードステップにより表示画面の表示内容を変化させた後、前記入力部に加筆された加筆画像と、前記位置マークとを前記読取装置に読み取らせ、読取データを作成させる読取データ作成ステップと、
その読取データ作成ステップにより作成された読取データを前記読取装置から受信する読取データ受信ステップと、
前記読取データ受信ステップにより受信された読取データに含まれる加筆画像に関する加筆画像情報と前記元画像情報記憶ステップによりメモリに記憶された元画像情報とを、前記位置マークに基づいて位置合わせをして合成した合成画像情報を生成する合成画像情報生成ステップとして、前記コンピュータを機能させることを特徴とする請求項１４記載の表示制御プログラム。
【請求項１６】
前記表示画面は明度の異なる少なくとも２色を用いて画像を表示可能に構成され、前記読取モードステップは、前記表示装置の表示画面から前記元画像を消去させて、明度の高い色で構成される背景を表示画面へ表示させ且つその背景に重ねて前記位置マークを前記表示画面へ表示させることを特徴とする請求項１４または１５に記載の表示制御プログラム。
【請求項１７】
前記読取モードステップは、前記表示画面から元画像を消去させ、且つ前記読取装置に読み取られることにより表示画面に対する加筆画像の位置を示す位置マークを表示させるものであり、
その読取モードステップにより元画像を消去させて前記位置マークを表示させた後、前記入力部に加筆された加筆画像と前記位置マークとを前記読取装置に読み取らせ、読取データを作成させる読取データ作成ステップと、
その読取データ作成ステップにより作成された読取データを前記読取装置から受信する読取データ受信ステップと、
その読取データ受信ステップにより受信された読取データに含まれる前記位置マークに基づいて、前記表示画面に対する加筆画像の位置を決定する加筆画像位置決定ステップと、
前記読取データ作成ステップにより前記読取データを作成させた後、前記表示装置の表示画面から前記位置マークを消去させる位置マーク消去ステップと、
その位置マーク消去ステップにより位置マークを消去させた後、前記入力部に加筆された加筆画像を前記読取装置に読み取らせ、本スキャンデータを作成させる本スキャンデータ作成ステップと、
その本スキャンデータ作成ステップにより作成された本スキャンデータを前記読取装置から受信する本スキャンデータ受信ステップと、
その本スキャンデータ受信ステップにより受信された本スキャンデータに含まれる前記加筆画像に関する加筆画像情報と前記元画像情報記憶ステップによりメモリに記憶された元画像情報とを、前記加筆画像位置決定ステップにより決定された表示画面に対する加筆画像の位置に基づいて合成し合成画像情報を生成する合成画像情報生成ステップとして、前記コンピュータを機能させることを特徴とする請求項１２記載の表示制御プログラム。
【発明の詳細な説明】
【技術分野】
【０００１】
本発明は表示装置および表示制御プログラムに関し、特に、元画像に対し加筆された加筆画像を読取装置により精度高く読み取らせることができる表示装置および表示制御プログラムに関するものである。
【背景技術】
【０００２】
文字または画像からなる文書情報を他人に伝達するには、文字または画像を用紙に記録し、この用紙を他人に配布するといった方法が一般的である。例えば、会議を行う場合、パーソナルコンピュータ等を用いて、会議の内容に関する文章やグラフを記述した文書を作成し、この文書を用紙に印刷し、この用紙を会議資料として会議の参加者に配布する。これにより、会議の内容を会議の参加者に伝達することができる。
【０００３】
このように用紙を介して文書情報を伝達する方法は、配布された文書情報にメモなどを書き込むことができて便利であるが、パーソナルコンピュータ等で作成した文書を用紙に印刷し配布しなければならないため、手間がかかり煩雑である。そのため、特許文献１には、パーソナルコンピュータから送信される文書情報を表示部に表示可能に構成し、且つその表示部の上方に重ねられた光透過性のタブレット入力装置を用いて、その文書情報に重ねてメモなどを手書きで書き込むことができるようにした文書情報表示装置が開示されている。この文書情報表示装置によれば、用紙に文書情報を印刷して配布する場合と同様にメモなどを手書きで書き込むことができる。さらに、タブレット入力装置上に手書きで書き込まれたメモを、ビットマップデータに変換し、元の文書情報（元画像）と合成して保存することができる。
【特許文献１】特開２０００−１０９７６号公報
【発明の開示】
【発明が解決しようとする課題】
【０００４】
しかしながら、上述のように表示部にタブレット入力装置を設けると、画面が暗く読みにくくなるとともに装置が高価となってしまうという問題点があった。
【０００５】
一方、高価なタブレット入力装置に代えて、例えば透明なフィルムなどで表示部を覆い、表示部に表示される元画像を視認可能とすると共に、そのフィルム上にメモなどを加筆可能に構成することが考えられる。そのような場合、例えばスキャナなどの読取装置により光学的に読み取ろうとすると、表示部に表示された元画像と透明フィルム上に書き込まれた手書きの加筆画像とが重なる部分では、元画像が妨げとなって、加筆画像を精度高く読み出すことが困難であるという問題点があった。
【０００６】
本発明は上述した問題点を解決するためになされたものであり、画面が明るく安価な表示装置を提供すること、および元画像に対し加筆された加筆画像を読取装置により精度高く読み取らせることができる表示装置および表示制御プログラムを提供することを目的としている。
【課題を解決するための手段】
【０００７】
この目的を達成するために、請求項１記載の表示装置は、文字または画像を表示可能な表示画面と、文字または画像に関する元画像情報を記憶する元画像情報記憶手段と、その元画像情報記憶手段に記憶された元画像情報に基づく元画像を前記表示画面へ表示する元画像表示手段と、前記表示画面に設けられ加筆および消去が可能な光透過性の入力部とを備えたものであって、その表示装置は、前記入力部に加筆された加筆画像または前記表示画面に表示された画像を読取装置により読み取らせて読取データを作成させるものであり、前記元画像表示手段により前記表示画面に元画像が表示された状態で前記入力部に加筆された加筆画像を前記読取装置に読み取らせる場合に、加筆画像を読み取りやすいように、前記表示画面の表示内容を変化させる読取モード手段を備えたことを特徴とする。
【０００８】
請求項２記載の表示装置は、請求項１記載の表示装置において、前記読取モード手段は、前記加筆画像を読取装置に読み取らせる場合に、元画像の読み取り感度が低下するように表示画面の表示内容を変化させるものである。
【０００９】
請求項３記載の表示装置は、請求項１または２に記載の表示装置において、前記読取モード手段は、前記加筆画像を読取装置に読み取らせる場合に、元画像の読み取り感度が実質的になくなるように表示画面の表示内容を変化させるものである。
【００１０】
請求項４記載の表示装置は、請求項１から３のいずれかに記載の表示装置において、前記読取モード手段は、前記表示装置の表示画面から前記元画像を消去して、加筆画像を読み取り易いように表示画面の表示内容を変化させるものである。
【００１１】
請求項５記載の表示装置は、請求項１から４のいずれかに記載の表示装置において、前記入力部と前記表示画面との外周を支持する枠体を有し、前記読取装置に読み取られることにより表示画面に対する加筆画像の位置を示す位置マークが、その枠体のうち前記入力部が露出された面の所定位置に予め設けられているものである。
【００１２】
請求項６記載の表示装置は、請求項１から４のいずれかに記載の表示装置において、前記読取モード手段は、前記読取装置に読み取られることにより表示画面に対する加筆画像の位置を示す位置マークを前記表示画面へ表示するものである。
【００１３】
請求項７記載の表示装置は、請求項６記載の表示装置において、前記読取モード手段により、前記表示画面に表示される前記位置マークは、所定の間隔を空けて格子状にされた複数の直線から構成される。
【００１４】
請求項８記載の表示装置は、請求項５から７のいずれかに記載の表示装置において、前記読取モード手段により表示画面の表示内容を変化させた後、前記入力部に加筆された加筆画像と、前記加筆画像の位置を示す位置マークとを前記読取装置に読み取らせて読取データを作成させる読取データ作成手段と、その読取データ作成手段により作成された読取データを前記読取装置から受信する読取データ受信手段と、その読取データ受信手段により受信された読取データに含まれる前記加筆画像に関する加筆画像情報と前記元画像情報記憶手段により記憶された元画像情報とを、前記位置マークに基づいて位置合わせして合成し合成画像情報を生成する合成画像情報生成手段とを備えたことを特徴とする。
【００１５】
請求項９記載の表示装置は、請求項１から８のいずれかに記載の表示装置において、前記入力部は、ハードコート処理がされた無色のプラスチックフィルムから構成される。
【００１６】
請求項１０記載の表示装置は、請求項１記載の表示装置において、前記読取モード手段は、前記表示画面から元画像を消去させて、且つ前記読取装置に読み取られることにより表示画面に対する加筆画像の位置を示す位置マークを表示するものであり、その読取モード手段により元画像を消去させて前記位置マークを表示した後、前記入力部に加筆された加筆画像と前記位置マークとを前記読取装置に読み取らせ、読取データを作成させる読取データ作成手段と、その読取データ作成手段により作成された読取データを前記読取装置から受信する読取データ受信手段と、その読取データ受信手段により受信された読取データに含まれる前記位置マークに基づいて、表示画面に対する加筆画像の位置を決定する加筆画像位置決定手段と、前記読取データ作成手段により前記読取データを作成させた後、前記表示画面から前記位置マークを消去する位置マーク消去手段と、その位置マーク消去手段により位置マークを消去した後、前記入力部に加筆された加筆画像を前記読取装置に読み取らせ、本スキャンデータを作成させる本スキャンデータ作成手段と、その本スキャンデータ作成手段により作成された本スキャンデータを前記読取装置から受信する本スキャンデータ受信手段と、その本スキャンデータ受信手段により受信された本スキャンデータに含まれる加筆画像に関する加筆画像情報と前記元画像情報記憶手段に記憶された元画像情報とを、前記加筆画像位置決定手段により決定された表示画面に対する加筆画像の位置に基づいて合成し合成画像情報を生成する合成画像情報生成手段とを備えたことを特徴とする。
【００１７】
請求項１１記載の表示装置は、請求項１から１０のいずれかに記載の表示装置において、前記読取装置は読み取りの開始の前に、前記表示装置に対し読み取りの開始を知らせる開始データを送信するものであって、前記表示装置は、読取装置から送信された開始データを受信する開始データ受信手段を有し、前記読取モード手段は、その開始データ受信手段により開始データを受信したことに基づいて、表示画面の表示内容を変化させるものである。
【００１８】
請求項１２記載の表示制御プログラムは、画像を表示可能な表示画面と、その表示画面に設けられ加筆および消去が可能な光透過性の入力部とを備えた表示装置と、その表示装置の入力部に加筆された加筆画像または前記表示画面に表示された画像を読み取り可能な読取装置とに接続されたコンピュータで実行されるものであり、文字又は画像に関する元画像情報をメモリに記憶させる元画像情報記憶ステップと、その元画像情報記憶ステップによりメモリに記憶された元画像情報を前記表示装置に送信し、その元画像情報に基づく元画像を前記表示装置の表示画面へ表示させる元画像表示ステップと、前記元画像表示ステップにより前記表示画面に元画像が表示された状態で前記入力部に加筆された加筆画像を前記読取装置に読み取らせて読取データを作成させる場合に、加筆画像を読み取りやすいように表示装置の表示画面の表示内容を変化させる読取モードステップとして、前記コンピュータを機能させる。
【００１９】
請求項１３記載の表示制御プログラムは、請求項１２記載の表示制御プログラムにおいて、前記読取モードステップは、前記表示装置の表示画面から元画像を消去させることにより加筆画像を読み取りやすいように表示装置の表示画面の表示内容を変化させるものである。
【００２０】
請求項１４記載の表示制御プログラムは、請求項１２または１３に記載の表示制御プログラムにおいて、前記読取モードステップは、加筆画像を読み取りやすいように表示装置の表示画面の表示内容を変化させ、読取装置に読み取られることにより表示画面に対する加筆画像の位置を示す位置マークを表示装置の表示画面へ表示させるものである。
【００２１】
請求項１５記載の表示制御プログラムは、請求項１４記載の表示制御プログラムにおいて、前記読取モードステップにより表示画面の表示内容を変化させた後、前記入力部に加筆された加筆画像と、前記位置マークとを前記読取装置に読み取らせ、読取データを作成させる読取データ作成ステップと、その読取データ作成ステップにより作成された読取データを前記読取装置から受信する読取データ受信ステップと、前記読取データ受信ステップにより受信された読取データに含まれる加筆画像に関する加筆画像情報と前記元画像情報記憶ステップによりメモリに記憶された元画像情報とを、前記位置マークに基づいて位置合わせをして合成した合成画像情報を生成する合成画像情報生成ステップとして、前記コンピュータを機能させる。
【００２２】
請求項１６記載の表示制御プログラムは、請求項１４または１５に記載の表示制御プログラムにおいて、前記表示画面は明度の異なる少なくとも２色を用いて画像を表示可能に構成され、前記読取モードステップは、前記表示装置の表示画面から前記元画像を消去させて、明度の高い色で構成される背景を表示画面へ表示させ且つその背景に重ねて前記読取装置に読み取られることにより前記位置マークを前記表示画面へ表示させる。
【００２３】
請求項１７記載の表示制御プログラムは、請求項１２記載の表示制御プログラムにおいて、前記読取モードステップは、前記表示画面から元画像を消去させ、且つ前記読取装置に読み取られることにより表示画面に対する加筆画像の位置を示す位置マークを表示させるものであり、その読取モードステップにより元画像を消去させて前記位置マークを表示させた後、前記入力部に加筆された加筆画像と前記位置マークとを前記読取装置に読み取らせ、読取データを作成させる読取データ作成ステップと、その読取データ作成ステップにより作成された読取データを前記読取装置から受信する読取データ受信ステップと、その読取データ受信ステップにより受信された読取データに含まれる前記位置マークに基づいて、表示画面に対する加筆画像の位置を決定する加筆画像位置決定ステップと、前記読取データ作成ステップにより前記読取データを作成させた後、前記表示装置の表示画面から前記位置マークを消去させる位置マーク消去ステップと、その位置マーク消去ステップにより位置マークを消去させた後、前記入力部に加筆された加筆画像を前記読取装置に読み取らせ、本スキャンデータを作成させる本スキャンデータ作成ステップと、その本スキャンデータ作成ステップにより作成された本スキャンデータを前記読取装置から受信する本スキャンデータ受信ステップと、その本スキャンデータ受信ステップにより受信された本スキャンデータに含まれる前記加筆画像に関する加筆画像情報と前記元画像情報記憶ステップによりメモリに記憶された元画像情報とを、前記加筆画像位置決定ステップにより決定された表示画面に対する加筆画像の位置に基づいて合成し合成画像情報を生成する合成画像情報生成ステップとして、前記コンピュータを機能させる。
【発明の効果】
【００２４】
請求項１記載の表示装置によれば、元画像情報記憶手段に文字または画像に関する元画像情報が記憶され、元画像表示手段により、その元画像情報記憶手段に記憶された元画像情報に基づく元画像が表示画面へ表示される。ここで、元画像表示手段により表示画面に元画像が表示された状態で入力部に加筆された加筆画像を読取装置に読み取らせる場合には、読み取りモード手段により、加筆画像を読み取りやすいように、表示画面の表示内容が変化させられる。よって、元画像に対し加筆された加筆画像を読取装置により精度高く読み取らせることができるという効果がある。たとえば、表示装置の表示画面に元画像として罫線を表示させることにより、その罫線に沿って、入力部に文字や図形を整列させて加筆でき、その加筆された加筆画像を読取装置に読み取らせる場合には、読取モード手段により、たとえば、元画像である罫線を消去させることにより、その入力部に加筆した文字や図形を罫線のない状態で読み取らせることができる。また、たとえば、入力部を無色のプラスチックフィルムで構成することで、加筆画像を読み取るためのタブレット入力装置が表示画面に設けられる場合に比較して、画面が明るく読みやすくなると共に、装置が安価となるという効果がある。
【００２５】
請求項２記載の表示装置によれば、請求項１記載の表示装置の奏する効果に加え、前記加筆画像を読取装置に読み取らせる場合には、前記読取モード手段により、元画像の読み取り感度が低下するように表示画面の表示内容が変化させられるので、加筆画像の読み取り感度が相対的に増加し、元画像が加筆画像の読み取りの妨げとなることが抑制され、加筆画像を精度高く読み取ることができるという効果がある。
【００２６】
請求項３記載の表示装置によれば、請求項１または２に記載の表示装置の奏する効果に加え、前記加筆画像を読取装置に読み取らせる場合には、前記読取モード手段により、元画像の読み取り感度が実質的になくなるように表示画面の表示内容が変化させられるので、元画像が加筆画像の読み取りの妨げとなることが抑制され、加筆画像を精度高く読み取ることができるという効果がある。
【００２７】
請求項４記載の表示装置によれば、請求項１から３のいずれかに記載の表示装置の奏する効果に加え、前記読取モード手段により、前記表示装置の表示画面から前記元画像が消去されて、加筆画像を読み取り易いように表示画面の表示内容が変化させられるので、加筆画像の読み取りの際に、元画像が読み取りの妨げとなることが抑制され、加筆画像を精度高く読み取ることができるという効果がある。
【００２８】
請求項５記載の表示装置によれば、請求項１から４のいずれかに記載の表示装置の奏する効果に加え、前記入力部と前記表示画面との外周を支持する枠体を有し、前記読取装置に読み取られることにより表示画面に対する加筆画像の位置を示す位置マークが、その枠体のうち前記入力部が露出された面の所定位置に予め設けられているので、表示画面に対する加筆画像の位置を示す位置マークを、入力部に加筆された加筆画像と同時に読取装置に読み取らせることができる。したがって、位置マークに基づいて、入力部に加筆された加筆画像の表示画面に対する位置が判断可能な読取データを読取装置に作成させることができるという効果がある。
【００２９】
請求項６記載の表示装置によれば、請求項１から４のいずれかに記載の表示装置の奏する効果に加え、前記読取モード手段は、前記読取装置に読み取られることにより表示画面に対する加筆画像の位置を示す位置マークを前記表示画面へ表示するので、表示画面に対する加筆画像の位置を示す位置マークを、入力部に加筆された加筆画像と同時に読取装置に同時に読み取らせることができる。したがって、位置マークに基づいて、入力部に加筆された加筆画像の表示画面に対する位置が判断可能な読取データを読取装置に作成させることができるという効果がある。
【００３０】
請求項７記載の表示装置によれば、請求項６記載の表示装置の奏する効果に加え、前記読取モード手段により、前記表示画面に表示される前記位置マークは、所定の間隔を空けて格子状にされた複数の直線から構成されるので、位置マークに基づいて、表示画面に対する加筆画像の位置を詳細に判断可能な読取データを読取装置に作成させることができるという効果がある。
【００３１】
請求項８記載の表示装置によれば、請求項５から７のいずれかに記載の表示装置と同様に作用する上、前記読取モード手段により表示画面の表示内容を変化させた後、読取データ作成手段により、前記入力部に加筆された加筆画像と、前記加筆画像の位置を示す位置マークとを前記読取装置に読み取らせて読取データを作成させ、その読取データ作成手段により作成された読取データが読取データ受信手段により読取装置から受信され、その読取データ受信手段により受信された読取データに含まれる前記加筆画像に関する加筆画像情報と前記元画像情報記憶手段により記憶された元画像情報とが、合成画像情報生成手段により、前記位置マークに基づいて位置合わせして合成される。
【００３２】
よって、請求項８記載の表示装置によれば、請求項５から７のいずれかに記載の表示装置の奏する効果に加え、元画像情報と加筆画像情報とが表示画面に対する加筆画像の位置を示す位置マークに基づいて位置合わせがされて合成されるので、読取装置に対し、予め定められた位置に入力部をセットするなどの煩雑な操作を行わなくても、元画像と加筆画像との位置関係の精度が高い合成画像情報を生成することができるという効果がある。
【００３３】
請求項９記載の表示装置によれば、請求項１から８のいずれかに記載の表示装置の奏する効果に加え、前記入力部は、ハードコート処理がされた無色のプラスチックフィルムから構成されるので、水性ペンにより入力部に加筆することができ、さらにその加筆画像を容易に消去できるという効果がある。また、入力部を無色のプラスチックフィルムで構成されているので、加筆画像を読み取るためのタブレット入力装置が表示画面に設けられる場合に比較して、画面が明るく読みやすくなると共に、装置が安価となるという効果がある。
【００３４】
請求項１０記載の表示装置によれば、請求項１記載の表示装置と同様に作用する上、読取モード手段により、前記表示画面から元画像を消去させて、且つ読取装置に読み取られることにより表示画面に対する加筆画像の位置を示す位置マークを表示させ、その後、読取データ作成手段により、前記入力部に加筆された加筆画像と前記位置マークとを前記読取装置に読み取らせて読取データを作成させ、読取データ受信手段により、その作成された読取データを読取装置から受信し、加筆画像位置決定手段により、その読取データに含まれる前記位置マークの位置情報に基づいて、表示画面に対する加筆画像の位置が決定される。また、読取データを作成させた後、位置マーク消去手段により、前記表示画面から前記位置マークが消去され、その後、本スキャンデータ作成手段により、入力部に加筆された加筆画像を前記読取装置に読み取らせ、本スキャンデータを作成させ、合成画像情報生成手段により、その本スキャンデータに含まれる加筆画像に関する加筆画像情報と元画像情報とが、表示画面に対する加筆画像の位置に基づいて合成され合成画像情報が生成される。
【００３５】
よって、請求項１０記載の表示装置によれば、請求項１記載の表示装置の奏する効果に加え、元画像情報と加筆画像情報とが表示画面に対する加筆画像の位置に基づいて位置合わせがされて合成されるので、読取装置に対し、予め定められた位置に入力部をセットするなどの煩雑な操作を行わなくても、元画像と加筆画像との位置関係の精度が高い合成画像情報を生成することができるという効果がある。さらに、合成画像情報を作成するための加筆画像情報は、位置マークが消去され、位置マークとは重ならない状態で読み取られた本スキャンデータに含まれるものであるので、読み出し精度の高い加筆画像情報を用いて合成画像情報を作成できるという効果がある。
【００３６】
請求項１１記載の表示装置によれば、請求項１から１０のいずれかに記載の表示装置の奏する効果に加え、前記読取装置は読み取りの開始の前に、前記表示装置に対し読み取りの開始を知らせる開始データを送信するものであって、前記表示装置は、開始データ受信手段により、読取装置から送信された開始データを受信し、その開始データ受信手段により開始データを受信したことに基づいて、前記読取モード手段により、表示画面の表示内容を変化させるので、読取装置から送信される開始データに基づいて、表示装置の表示画面の表示内容が自動的に変化させられるという効果がある。
【００３７】
請求項１２記載の表示制御プログラムによれば、画像を表示可能な表示画面と、その表示画面に設けられ加筆および消去が可能な光透過性の入力部とを備えた表示装置と、その表示装置の入力部に加筆された加筆画像または前記表示画面に表示された画像を読み取り可能な読取装置とに接続されたコンピュータで実行されることにより、該コンピュータは、元画像情報記憶ステップにより、元画像文字又は画像に関する元画像情報をメモリに記憶し、元画像表示ステップにより、メモリに記憶された元画像情報を前記表示装置に送信し、その元画像情報に基づく元画像を前記表示装置の表示画面へ表示させる。そして、前記表示画面に元画像が表示された状態で前記入力部に加筆された加筆画像を前記読取装置に読み取らせて読取データを作成させる場合に、読取モードステップにより、加筆画像を読み取りやすいように表示画面の表示内容を変化させる。
【００３８】
よって、表示装置の入力部において元画像に対し加筆された加筆画像を、読取装置により精度高く読み取らせることができるという効果がある。たとえば、表示装置の表示画面に元画像として罫線を表示させることにより、その罫線に沿って、入力部に文字や図形を整列させて加筆できると共に、その加筆された加筆画像を読取装置に読み取らせる場合には、読取モードステップにより、たとえば、元画像である罫線を表示画面から消去させ、その入力部に加筆した文字や図形を罫線のない状態で読み取らせることができる。
【００３９】
請求項１３記載の表示制御プログラムによれば、請求項１２記載の表示制御プログラムの奏する効果に加え、前記コンピュータで実行されることにより、該コンピュータは、前記読取モードステップにより、前記表示装置の表示画面から元画像を消去させることにより加筆画像を読み取りやすいように表示装置の表示画面の表示内容を変化させるので、加筆画像を読み取る際に、元画像が読み取りの妨げとなることが抑制され、加筆画像を精度高く読み取ることができるという効果がある。
【００４０】
請求項１４記載の表示制御プログラムによれば、請求項１２または１３に記載の表示制御プログラムの奏する効果に加え、前記コンピュータで実行されることにより、該コンピュータは、前記読取モードステップにより、加筆画像を読み取りやすいように表示装置の表示画面の表示内容を変化させ、読取装置に読み取られることにより表示画面に対する加筆画像の位置を示す位置マークを表示装置の表示画面へ表示させるので、表示画面に対する加筆画像の位置を示す位置マークを、入力部に加筆された加筆画像と同時に読取装置に読み取らせることができる。したがって、位置マークに基づいて、入力部に加筆された加筆画像の表示画面に対する位置が判断可能な読取データを読取装置に作成させることができるという効果がある。
【００４１】
請求項１５記載の表示制御プログラムによれば、請求項１４記載の表示制御プログラムと同様に作用する上、コンピュータで実行されることにより、該コンピュータは、前記読取モードステップにより表示画面の表示内容を変化させた後、読取データ作成ステップにより、前記入力部に加筆された加筆画像と、前記位置マークとを前記読取装置に読み取らせ、読取データを作成させる。そして、その読取データ作成ステップにより作成された読取データを読取データ受信ステップにより前記読取装置から受信し、合成画像情報生成ステップにより、受信された読取データに含まれる加筆画像に関する加筆画像情報と前記元画像情報記憶ステップによりメモリに記憶された元画像情報とを、前記位置マークに基づいて位置合わせをして合成した合成画像情報を生成する。
【００４２】
よって、請求項１５記載の表示制御プログラムによれば、請求項１４記載の表示制御プログラムの奏する効果に加え、元画像情報と加筆画像情報とが位置マークに基づいて位置合わせがされて合成されるので、読取装置に対し、予め定められた所定の位置に入力部をセットするなどの煩雑な操作を行わなくても、元画像と加筆画像との位置関係の精度が高い合成画像情報を生成することができるという効果がある。
【００４３】
請求項１６記載の表示制御プログラムによれば、請求項１４または１５に記載の表示制御プログラムの奏する効果に加え、前記表示画面は明度の異なる少なくとも２色を用いて画像を表示可能に構成され、前記コンピュータで実行されることにより、該コンピュータは、前記読取モードステップにより、前記表示装置の表示画面から前記元画像を消去させて、明度の高い色で構成される背景を表示画面へ表示させ且つその背景に重ねて前記位置マークを前記表示画面へ表示させるので、入力部に加筆された加筆画像が読み取りしやすく、加筆画像の読み取りを精度高く行うことができるという効果がある。
【００４４】
請求項１７記載の表示制御プログラムによれば、請求項１２記載の表示制御プログラムと同様に作用する上、前記コンピュータで実行されることにより、該コンピュータは、読取モードステップにより、前記表示画面から元画像を消去させ、且つ前記読取装置に読み取られることにより表示画面に対する加筆画像の位置を示す位置マークを表示させる。そして、その後、読取データ作成ステップにより、前記入力部に加筆された加筆画像と前記位置マークとを前記読取装置に読み取らせ、読取データを作成させ、読取データ受信ステップにおいて、その作成された読取データを前記読取装置から受信し、加筆画像位置決定ステップにより、受信された読取データに含まれる前記位置マークの位置情報に基づいて、表示画面に対する加筆画像の位置を決定する。そして、位置マーク消去ステップにより、表示装置の表示画面から前記位置マークを消去させた後、本スキャンデータ作成ステップにより、前記入力部に加筆された加筆画像を前記読取装置に読み取らせ、本スキャンデータ受信ステップにより、本スキャンデータを前記読取装置から受信し、合成画像情報生成ステップにおいて、その受信された本スキャンデータに含まれる加筆画像に関する加筆画像情報とメモリに記憶された元画像情報とを、加筆画像位置決定ステップにより決定された表示画面に対する加筆画像の位置に基づいて位置合わせをして合成し合成画像情報を生成する。
【００４５】
よって、請求項１７記載の表示制御プログラムによれば、請求項１２記載の表示制御プログラムの奏する効果に加え、元画像情報と加筆画像情報とが表示画面に対する加筆画像の位置に基づいて位置合わせがされて合成されるので、読取装置に対し、予め定められた位置に入力部をセットするなどの煩雑な操作を行わなくても、元画像と加筆画像との位置関係の精度が高い合成画像情報を生成することができるという効果がある。さらに、合成画像情報を作成するための加筆画像情報は、位置マークが消去され、位置マークとは重ならない状態で読み取られた本スキャンデータに含まれるものであるので、読み出し精度の高い加筆画像情報を用いて合成画像情報を作成できるという効果がある。
【発明を実施するための最良の形態】
【００４６】
以下、本発明の好ましい実施例について、添付図面を参照して説明する。図１は、本発明の第１実施例である表示装置１０の斜視図である。
【００４７】
図１に示すように、表示装置１０は、文字又は画像を表示可能な表示画面２ａと、その表示画面２ａに重ねて設けられた表示画面２ａと略同形の入力部３と、制御キー４とを備える。
【００４８】
表示画面２は、白色または黒色を表示可能に構成されており、表示装置１０内のＲＡＭ１３（図４参照）に記憶された画像データや本体２に接続された外部機器から受信した画像データに基づいて、黒色の元画像５および白色の背景６を表示することができる。また、使用者は、制御キー４を押下することにより、表示画面２ａに表示する画像データを選択したり、後述する読み取りモードへの切り替えを指示する。
【００４９】
図２は、表示装置１０の表示画面２ａを構成する表示パネル２の拡大断面図である。図２に示すように、表示パネル２は、表示画面２ａを構成する第１基板２１と、その第１基板２１と所定距離を隔てて対向する第２基板２３と、それら第１基板２１と第２基板２３との間において二次元的に配置され、バインダ２４により固定されたマイクロカプセル２５とを有している。また、表示画面２ａ上には入力部３が設けられている。
【００５０】
入力部３は、光透過性の透明プラスチックフィルムから構成され、表示画面２ａに重ねて設けられる。また、表示画面２ａに対し反対側の面すなわち表面がハードコート処理されている。図３は、元画像５が表示された状態で、入力部３に加筆画像８が加筆された表示装置１０の斜視図である。図３に示すように、入力部３は光透過性があるため、表示画面２ａに表示される元画像５は入力部３を通して視認することができる。また、入力部３の表面はハードコート処理されているため、水性ペン７により入力部３に加筆画像８を加筆することができ、さらにその加筆画像８を容易に消去できる。ここで、水性ペン７は、例えば赤色などの有彩色のペンである。したがって、黒色の元画像５と加筆画像８とを区別して視認することができる。
【００５１】
再び図２を参照して説明する。第１基板２１は、光透過性のある樹脂、ガラス、天然樹脂等により構成される板状部材であり、表示面の裏面側に上側電極２１ａが設けられている。第２基板２３は、第１基板２１と同様の材料から構成される板状部材であって、第１基板２１と対向する側の面に下側電極２３ａが設けられている。第１基板２１と第２基板２３とは、表示画面２ａに直交する方向の距離が例えば約１００μｍとなるように、互いに対向して配置される。
【００５２】
上側電極２１ａは、マイクロカプセル２５に電界を与えるための一方の極性を担う電極であり、複数本のライン状に形成されている。この上側電極２１ａは、導電性を有するものであれば、特にその材料には限定されず、金属、半導体、導電性樹脂、導電性塗料等の材料で構成されている。また、この上側電極２１ａは、周知の無電解メッキ法、スパッタ法、蒸着法等の方法によって第１基板２１上に形成できる。
【００５３】
下側電極２３ａは、マイクロカプセル２５に電界を与えるための他方の極性を担う電極であり、上側電極２１ａと直交する方向に複数本のライン状に形成されている。尚、下側電極２３についても、上側電極２１ａと同様な材料、方法で第２基板２３上に形成することができる。上側電極２１ａと下側電極２３ａとの各交差部が、それぞれ画素を構成する。
【００５４】
マイクロカプセル２５は、黒色に着色された粒子である電気泳動黒粒子２５ａと白色に着色された粒子である電気泳動白粒子２５ｂとを分散した分散液２５ｃとその分散液２５ｃを内包する殻とからなる。そして、電気泳動黒粒子２５ａは正に帯電し、電気泳動白粒子２５ｂは負に帯電するよう構成されている。
【００５５】
図２に示すように、上側電極２１ａが下側電極２３ａに対して負となるように、上側電極２１ａと下側電極２３ａとの間に電界を生じさせると、その電極２０，２２間のマイクロカプセル２５に内包される電気泳動黒粒子２５ａは分散媒２５ｃ内を泳動し上側電極２１ａ側へ吸引され、電気泳動白粒子２５ｂは分散媒２５ｃ内を泳動して下側電極２３ａ側へ吸引される。よって、表示画面２ａに黒色が表示される。
【００５６】
一方、上側電極２１ａが下側電極２３ａに対して正となるように、上側電極２１ａと下側電極２３ａとの間に電界を生じさせると、その電極２０，２２間のマイクロカプセル２５に内包される電気泳動黒粒子１３は下側電極２３ａ側に吸引され、電気泳動白粒子２５ｂは上側電極２１ａ側へ吸引されるので、表示画面２ａに白色が表示される。
【００５７】
なお、分散媒２５ｃとしては、パラフィン系炭化水素（ノルマルパラフィン、イソパラフィン）、ハロゲン化炭化水素、シリコンオイル等が使用できる。電気泳動黒粒子２５ａや電気泳動白粒子２５ｂとしては、スチレン、アクリル、ナイロンなどの樹脂からなる粒子に、黒色のカーボンブラックや白色の酸化チタン等の顔料が含まれたものが使用できる。
【００５８】
また、各粒子２５ａ，２５ｂの帯電特性を安定させるために、荷電制御剤を用いてもよい。荷電制御剤には、静電記録用の現像剤（トナー）に利用されている公知の材料が好適である。各粒子２５ａ，２５ｂのサイズは通常平均粒径０．１μｍ〜１０μｍ程度の粒子が使用される。
【００５９】
図４は、表示装置１０の構成を示すブロック図である。図４に示すように、表示装置１０は、ＣＰＵ１１と、ＲＯＭ１２と、ＲＡＭ１３と、制御キー４と、表示パネル２と、ドライバ１５と、インターフェース１６（Ｉ／Ｆ１６）とを備えている。
【００６０】
図４に示すように、ＣＰＵ１１、ＲＯＭ１２、ＲＡＭ１３は、キー４と、ドライバ１５と、インターフェース１６（Ｉ／Ｆ１６）とを、バスを介して接続されている。また、表示パネル２は、ドライバ１５を介してバスに接続されている。
【００６１】
ＣＰＵ１１は、この表示装置１０を総括的に制御する中央演算処理であり、各種プログラムを実行する。ＲＯＭ１２は、ＣＰＵ１１により実行される各種制御プログラムや固定値データを記憶する不揮発性のメモリである。
【００６２】
ＲＡＭ１３は、ＣＰＵ１１により実行される各種処理に必要なデータやプログラムを一時的に記憶するものであり、元画像情報メモリ１３ａを備えている。元画像情報メモリ１３ａは、元画像情報を記憶するものであり、例えば、Ｉ／Ｆ１６を介して接続されたＰＣなどの外部装置から受信した文字データまたは画像データを元画像情報として記憶する。
【００６３】
ドライバ１５は、ＣＰＵ１１からの制御に従い、表示パネル２の上側電極２１ａおよび下側電極２３ａに電圧を供給する回路であり、元画像情報メモリ１３ａに格納された元画像情報に基づく元画像５や後述する位置マーク９を表示画面２ａに表示させる。
【００６４】
Ｉ／Ｆ１６は、パーソナルコンピュータ（ＰＣ）などの外部装置を有線接続又は無線接続するためのインターフェイスであり、表示装置１０をネットワークに接続し、このＩ／Ｆ１６を介して接続されたパーソナルコンピュータ（ＰＣ）などの外部装置とのデータの入出力を制御するものである。
【００６５】
次に、図５を参照して読み取りモードについて説明する。読み取りモードとは、表示画面２ａに元画像５が表示された状態で入力部３に加筆された加筆画像８をスキャナなどの読取装置により光学的に読み取らせる場合に、加筆画像８を読み取りしやすいようにされたモードであり、例えば、元画像情報メモリ１３ａに記憶された元画像情報に基づいて元画像５が表示される通常モードにおいて、使用者が制御キー４から所定の入力を行うことにより、通常モードから読み取りモードに切り替えることができる。図５は、表示画面２ａが読み取りモードに切り替えられた表示装置１０を示す斜視図である。
【００６６】
図５に示すように、読み取りモードに切り替えられると、ＣＰＵ１１はドライバ１５を制御して、表示画面２ａから元画像５を消去し、白色で構成される背景６を表示画面２ａへ表示することにより加筆画像８を読み取り易いように表示画面２ａの表示内容を変化させる。
【００６７】
第１実施例の表示装置１０によれば、加筆画像８をスキャナなどの読取装置に読み取らせる場合には、読み取りモード手段により、元画像５が消去されるので、元画像５と加筆画像とが重なることがなく、スキャナなどの読取装置により加筆画像８を精度高く読み取らせることができる。さらに、表示画面２ａには白色の背景６が表示されるので、入力部３に加筆された加筆画像８と表示画面２ａとのコントラストが高くなり、加筆画像８をより精度高く読み取らせることができる。
【００６８】
また、入力部３が無色のプラスチックフィルムで構成されているので、入力部３としてタブレット入力装置が設けられる場合に比較して、表示画面２ａを明るく表示できると共に、装置が安価となる。タブレット入力装置を表示画面２ａ上に設けると、そのタブレット入力装置が有するセンサなどのために入力部の透過性が低下し、表示画面２ａが暗くなるのである。
【００６９】
次に、図６から図１１を参照して、本発明の第２実施例について説明する。図６は、本発明の表示制御プログラムを実行するパーソナルコンピュータ５０（ＰＣ５０）及びＰＣ５０に接続された表示装置２０及びＰＣ５０に接続された読取装置であるスキャナ７０の構成を示すブロック図である。なお、この第２実施例において、上述した第１実施例と同一の部分には同一の符号を付して、その説明は省略する。
【００７０】
図６に示すように、ＰＣ５０は、ＣＰＵ５１と、ＲＯＭ５２と、ＲＡＭ５３と、ハードディスクドライブ５４（ＨＤＤ５４）と、このＰＣ５０へデータ又はコマンドを入力するためのキーボード５５と、表示装置２０およびスキャナ７０に有線接続又は無線接続するためのインターフェース５６（Ｉ／Ｆ５６）とを備えている。
【００７１】
図６に示すように、ＣＰＵ５１、ＲＯＭ５２、ＲＡＭ５３、ＨＤＤ５４、キーボード５５、Ｉ／Ｆ５６は、バス６０を介して接続されている。また、Ｉ／Ｆ５６は、ケーブルなどの有線又はブルートゥース（Bluetooth（登録商標））や赤外線などの無線によって、表示装置２０のＩ／Ｆ１６に接続され、ＰＣ５０は、このＩ／Ｆ５６及びＩ／Ｆ１６を介して表示装置２０へ元画像情報を送信することにより、その元画像情報に基づく元画像５を表示装置２０に表示させることができる。
【００７２】
ＣＰＵ５１は、このＰＣ５０を総括的に制御する中央演算処理であり、図９のフローチャートで示す処理を実行するプログラムなどの各種プログラムを実行する。
【００７３】
ＲＯＭ５２は、ＣＰＵ５１により実行される各種制御プログラムや固定値データを記憶する不揮発性のメモリである。
【００７４】
ＲＡＭ５３は、ＣＰＵ５１により実行される各種処理に必要なデータやプログラムを一時的に記憶するためのメモリであり、元画像情報メモリ５３ａと、位置情報メモリ５３ｂと、読取データメモリ５３ｃとを備えている。
【００７５】
元画像情報メモリ５３ａは、表示装置２０に送信される、例えばビットマップ形式の画像データである元画像情報を記憶するものである。位置情報メモリ５３ｂは、読取データにおける表示画面２ａの位置を記憶するものである。読取データメモリ５３ｃは、スキャナ７０によって作成され、スキャナ７０から送信された読取データを記憶するものである。
【００７６】
ＨＤＤ５４は、書き換え可能な不揮発性メモリであり、合成画像メモリ５４ａを備えている。合成画像メモリ５４ａは、元画像５と加筆画像８とを合成した合成画像に関する合成画像情報を記憶するものである。
【００７７】
スキャナ７０は、表示装置２０の入力部３側の面すなわち表示画面２ａ側の面を載置可能なガラス台（図示せず）を有し、そのガラス台の下から光を当てて画像を読み取るフラットベッドスキャナである。
【００７８】
また、図６に示すように、表示装置２０は、ＣＰＵ１１と、ＲＯＭ１２と、ＲＡＭ１３と、ドライバ１５と、インターフェース１６（Ｉ／Ｆ１６）と、表示パネル２と、制御キー４とを備えている。図６に示すように、ＣＰＵ１１、ＲＯＭ１２、ＲＡＭ１３、ドライバ１５、Ｉ／Ｆ１６は、バスを介して接続されている。更に、Ｉ／Ｆ１６は、有線接続又は無線接続によって、ＰＣ５０のＩ／Ｆ５６に接続されている。
【００７９】
ＣＰＵ１１は、この表示装置２０を総括的に制御する中央演算処理であり、図１０のフローチャートで示す処理を実行するプログラムなどの各種プログラムを実行する。
【００８０】
図７を参照して、表示装置２０における読み取りモードについて説明する。図７は、表示画面２ａが読み取りモードに切り替えられた表示装置２０を示す斜視図である。図７に示すように、読み取りモードへの切り替えが指示されると、表示装置２０の表示画面２ａが読み取りモードに切り替えられる。具体的には、表示画面２ａから元画像５が消去され、白色で構成される背景６が表示画面２ａへ表示されることにより、加筆画像８を読み取り易いように表示画面２ａの表示内容が変化させられ、且つ背景６に重ねて位置マーク９が表示される。
【００８１】
図７に示すように、位置マーク９は二次元コードで構成されて、表示画面２ａの四隅に配置される。そしてその四隅の位置マーク９が表示画面２ａにおけるそれぞれの位置情報をコード化している。具体的には、表示画面２ａに向かって左上隅に設けられた位置マーク９ａは表示画面２ａの左上頂点を示す座標（例えば、（０，０））をコード化しており、同様に、右上隅に設けられた位置マーク９ｂが表示画面２ａの右上頂点を示す座標（例えば（Ｘ，０））をコード化しており、左下隅に設けられた位置マーク９ｃが表示画面２ａの左下頂点を示す座標（例えば（０，Ｙ））をコード化しており、右下隅に設けられた位置マーク９ｄが表示画面２ａの右下頂点を示す座標（例えば（Ｘ，Ｙ））をコード化している。したがって、加筆画像８を、表示画面２ａの四隅に表示される位置マーク９と共にスキャナ７０により読み取ることで、位置マーク９に基づいて、表示画面２ａに対する加筆画像８の位置を判断することができる。
【００８２】
次に、図８を参照して、上述した位置マーク９を用いて、元画像５と加筆画像８とを位置合わせする方法について説明する。図８（ａ）は、スキャナ７０により読み取られた読取データを示す概念図であり、図８（ｂ）は、読取データから抽出された加筆画像情報を示す図であり、図８（ｃ）は、元画像５と加筆画像８とを位置合わせして重ね合わせた状態を示す概念図である。
【００８３】
図８（ａ）に示すように、読取データには位置マークが含まれているので、例えばＰＣ５０において読取データにおける位置マーク９のコードを読み取ることで、読取データの所定の原点Ｏに対する表示画面２ａの左上頂点ａ、右上頂点ｂ、左下頂点ｃ、右下頂点ｄの各座標を検出することができる。
【００８４】
そして、図８（ｂ）に示すように、この各頂点ａ，ｂ，ｃ，ｄにより構成される領域の画像データを切り出し、その切り出された画像データから位置マーク９のデータを削除することにより、入力部３すなわち入力画面２ａの領域の加筆画像８に関する画像データ（請求項の加筆画像情報に対応）のみを抽出する。そして、図８（ｃ）に示すように、この加筆画像情報の各頂点ａ，ｂ，ｃ，ｄが、それぞれ表示画面２ａの左上頂点座標（０，０）、右上頂点座標（Ｘ，０）、左下頂点座標（０，Ｙ）、右下頂点座標（Ｘ，Ｙ）に一致するように、加筆画像情報の変換条件を決定する。そして、その変換条件に従って、抽出された加筆画像情報を回転、拡大、縮小などし、元画像５に関する元画像情報と重ね合わせることで合成画像情報を生成することができる。
【００８５】
次に、図９、図１０、図１１を参照して、上述のように構成されたＰＣ５０，表示装置２０、スキャナ７０の動作について説明する。図９はＰＣ５０で実行される画像合成処理を示すフローチャートであり、図１０は表示装置２０で実行される表示処理を示すフローチャートであり、図１１はスキャナ７０で実行されるスキャナ処理を示すフローチャートである。
【００８６】
図９に示す画像合成処理は、元画像情報と加筆画像情報とを合成して得られる合成画像情報を生成する処理である。なお、この画像合成処理に先立って、ＰＣ５０の元画像情報メモリ５３ａには、予め元画像情報が格納されているものとする（請求項の元画像情報記憶ステップに対応）。
【００８７】
この画像合成処理では、まず、元画像情報メモリ５３ａに記憶された元画像情報を表示装置２０へ送信し、その元画像情報に基づく元画像５を表示装置２０の表示画面２ａへ表示させる（Ｓ１）。
【００８８】
ここで、図１０を参照して、表示装置２０の動作について説明する。ＰＣ５０から元画像情報が送信されると、その元画像情報を受信し（Ｓ８１）、元画像情報メモリ１３ａに記憶する。そして、その元画像情報に基づく元画像５を表示画面２ａに表示し（Ｓ８２）、ＰＣ５０から読み取りモードへの移行指示があるまで待機する（Ｓ８３）。使用者は、元画像５が表示された状態で、入力部３に任意の加筆画像８を加筆することができる（図３参照）。
【００８９】
図９に戻り、ＰＣ５０の処理について説明する。Ｓ１において、元画像情報を表示装置２０に送信した後は、使用者から加筆画像８の読み取りが指示されるまで待機する（Ｓ２）。この指示は、表示装置２０の入力部３側の面をスキャナ７０のガラス台に向けて載置した状態で、使用者がＰＣ５０のキーボード５５を操作することにより行われる。加筆画像８の読み取りが指示されると（Ｓ２：Ｙｅｓ）、表示装置２０に対し読み取りモードへの移行を指示し（Ｓ３）、その後、スキャナ７０に読み取りを指示する（Ｓ４）。よって、表示装置２０の表示画面２ａが読取モードへ切り替えられた状態で、スキャナ７０が読み取りを行う。
【００９０】
図１０、図１１を参照して表示装置２０とスキャナ７０の動作について説明する。図１０に示すように、ＰＣ５０から読み取りモードへの移行が指示されると、表示装置２０において、表示画面２ａから元画像５が消去され、表示画面２ａの略全面に白色が表示されて背景６とされ、その背景６上に位置マーク９が表示される（Ｓ８４）。すなわち表示装置２０の表示画面２ａが上述した読み取りモード（図７参照）へ切り替えられる。また、図１１に示すように、スキャナ７０に対しＰＣ５０からの読み取り指示があると（Ｓ９１：Ｙｅｓ）、スキャナ７０のガラス台（図示せず）に向けられた表示装置２０の入力部３側の面の読み取りが開始され（Ｓ９２）、読み取りが完了すると（Ｓ９３：Ｙｅｓ）、読取データがＰＣ５０へ送信される（Ｓ９４）。
【００９１】
図９に戻り、ＰＣ５０の処理について説明する。スキャナ７０から読取データを受信すると（Ｓ５：Ｙｅｓ）、その読取データを読取データメモリ５３ｃに格納する。そして、その読取データメモリ５３ｃに格納された読取データに含まれる位置マーク９に基づいて、読取データの所定の原点Ｏに対する表示画面２ａの左上頂点ａ、右上頂点ｂ、左下頂点ｃ、右下頂点ｄの座標を検出し、それらの座標を位置情報として位置情報メモリ５３ｂに格納する（図８（ａ）参照）（Ｓ６）。
【００９２】
次に、読取データメモリ５３ｃに格納された読取データから入力部３および表示画面２ａに対応した領域の画像データを切り出す。具体的には、位置情報メモリ５３ｂに格納された読取データに対する表示画面２ａの左上頂点ａ、右上頂点ｂ、左下頂点ｃ、右下頂点ｄの座標で示される矩形領域の画像データを切り出す（図８（ｂ）参照）。そして、その領域に含まれる位置マーク９の画像データを消去することにより、読取データから加筆画像情報を抽出する（Ｓ７）。そして、その加筆画像情報の各頂点ａ、ｂ、ｃ、ｄが、表示画面２ａの対応する各頂点と一致するように、位置情報メモリ５３ｂに格納された位置情報に基づいて変換条件を決定し、その変換条件に基づいて加筆画像情報を回転、拡大または縮小して、元画像情報メモリ５３ａに格納された元画像情報と位置合わせして合成し、合成画像情報を生成する（Ｓ８）。
【００９３】
次に、生成された合成画像情報を表示装置２０へ送信し（Ｓ９）、その合成画像情報を合成画像メモリ５４ａに保存して（Ｓ１０）、処理を終了する。
【００９４】
一方、図１０に示すように、表示装置２０は合成画像情報を受信すると（Ｓ８５：Ｙｅｓ）、その合成画像情報に基づいて、表示パネル２に、元画像５と加筆画像８を合成した合成画像を、表示パネル２に表示して（Ｓ８６）、処理を終了する。
【００９５】
第２実施例によれば、元画像情報と加筆画像情報とが位置マーク９に基づいて、読取データに対する表示画面２ａの位置を考慮して位置合わせがされて合成されるので、スキャナ７０に対し、予め定められた位置に入力部３をセットするなどの煩雑な操作を行わなくても、元画像５と加筆画像８との位置関係の精度が高い合成画像情報を生成することができる。
【００９６】
次に、図１２から図１５を参照して、本発明の第３実施例について説明する。なお、この第３実施例においては、上述した第２実施例の表示装置２０に代えて表示装置３０が用いられる。上述した第２実施例と同一の部分には同一の符号を付して、その説明は省略する。
【００９７】
図１２を参照して、本第３実施例の表示装置３０における読み取りモードについて説明する。図１２は、読み取りモードに切り替えられた表示装置３０を示す斜視図である。図１２に示すように、読み取りモードに切り替えられると、表示画面２ａから元画像５が消去され、白色で構成される背景６が表示画面２ａへ表示されることにより加筆画像８が読み取り易いように表示画面２ａの表示内容が変化させられるとともに、背景６に重ねて表示画面２ａに位置マーク（罫線）３９が表示される。図１２に示すように、この位置マーク３９は、所定の間隔を空けて格子状にされた複数の直線から構成され、表示画面２ａの予め定められた位置に表示される。よって、それらの直線の各交点が、表示画面２ａにおける所定の座標に対応する。したがって、加筆画像８を、位置マーク３９と共にスキャナ７０により読み取ることで、位置マーク３９に基づいて、表示画面２ａに対する加筆画像８の位置を判断することができる。
【００９８】
ここで、図１３を参照して、位置マーク３９を用いて加筆画像８と元画像５とを合成する方法について説明する。図１３（ａ）は、読取データから抽出された位置マーク３９を示す概略図であり、（ｂ）は、表示画面２ａにおける位置マーク３９の表示位置を示す概略図である。この位置マーク３９は、表示画面２ａの予め定められた位置に表示される。なお、図面の理解を容易にするために、ここでは、位置マーク３９が、表示画面２ａの縦方向の３本の直線と横方向の４本の直線とから構成されているものとする。
【００９９】
上述の第２実施例では、加筆画像の各頂点ａ〜ｄが表示画面２ａの各頂点に一致するように、加筆画像情報と元画像情報とが位置合わせされていた。一方、本第３実施例では、図１３（ａ）に示すように、位置マーク３９を構成する複数の直線の各交点ａ〜ｌを検出し、位置マーク３９を構成する直線の各交点が、表示画面２ａの対応する座標に一致するように位置あわせを行う。したがって、表示画面２ａの頂点のみに基づいて位置あわせをする場合に比較して、元画像５と加筆画像８とをより精度高く位置合わせすることができる。
【０１００】
次に、図１４、図１５、図１６を参照して、第３実施例のＰＣ５０，表示装置３０、スキャナ７０の動作について説明する。図１４はＰＣ５０で実行される画像合成処理を示すフローチャートであり、図１５は表示装置３０で実行される表示処理を示すフローチャートであり、図１６はスキャナ７０で実行されるスキャナ処理を示すフローチャートである。なお、この第３実施例の処理において、上述した第２実施例と同一の処理には同一の符号を付して、その説明は省略する。
【０１０１】
本第３実施例では、ＰＣ５０から読み取りモードへの移行が指示されると（図１４のＳ３）、表示装置３０の表示画面２ａは、上述した読み取りモード（図１２参照）へ切り替えられる。すなわち、図１２に示すように、表示画面２ａから元画像５が消去され、表示画面２ａの略全面に白色が表示されて背景６とされ、その背景６上に格子状の位置マーク３９が表示される（Ｓ１３０）。
【０１０２】
図１４に戻り、ＰＣ５０の処理について説明する。図１４に示すように、表示装置３０に対し読み取りモードへの移行を指示し（Ｓ３）、その後スキャナ７０に対し読み取りを指令する（Ｓ４）。よって、表示装置３０の表示画面２ａに格子状の位置マーク３９が表示された状態で、図１６に示すように、スキャナ７０が読み取りを開始し（Ｓ９２）、読み取りが完了すると（Ｓ９３：Ｙｅｓ）、読取データをＰＣ５０へ送信する（Ｓ９４）。
【０１０３】
図１４に戻り、ＰＣ５０の処理について説明する。スキャナ７０から読取データを受信すると（Ｓ５：Ｙｅｓ）、その読取データが読取データメモリ５３ｃに格納され（Ｓ６）、読取データから位置マーク３９が抽出される。これは、例えば、ＰＣ５０のＲＡＭ５３などに予め記憶された位置マーク３９のパターンと読取データとを照合することにより行われる。
【０１０４】
そして、抽出された位置マーク３９に基づいて、読取データにおける位置マーク３９の所定の原点に対する各交点ａ〜ｌの座標を取得し（図１３（ａ）参照）、位置情報メモリ５３ｂに格納する。
【０１０５】
次に、表示装置３０に対し、本スキャンモードへの移行を指示する（Ｓ１２０）。図１５に示すように、ＰＣ５０から表示装置３０に対し本スキャンモードへの移行が指示されると（Ｓ１３１：Ｙｅｓ）、表示装置３０の表示画面２ａから位置マーク３９が消去され（Ｓ１３２）、表示画面２ａが本スキャンモードへ切り替えられる。本スキャンモードとは、位置マーク３９が表示画面２ａから消去され、表示画面２ａには白色の背景６のみが表示されるモードである。
【０１０６】
図１４に戻り、ＰＣ５０の処理について説明する。ＰＣ５０は、表示装置３０に対し、本スキャンモードへの移行を指示し、表示装置３０の表示画面２ａが本スキャンモードへ切り替えられると、スキャナ７０に対し、本スキャンの指令をする（Ｓ１２１）。また、図１６に示すように、スキャナ７０に対し、ＰＣ５０から本スキャンが指示されると（Ｓ１４０：Ｙｅｓ）、表示画面２ａが本スキャンモードに切り替えられた状態で、読み取りが開始され（Ｓ１４１）、読み取りが完了すると（Ｓ１４２：Ｙｅｓ）、本スキャンデータをＰＣ５０へ送信し（Ｓ１４３）、処理を終了する。
【０１０７】
図１４に戻り、ＰＣ５０の処理について説明する。スキャナ７０から本スキャンデータを受信すると（Ｓ１２２：Ｙｅｓ）、その受信した本スキャンデータをＲＡＭ５３に格納する（Ｓ１２３）。次に、ＲＡＭ５３に格納された本スキャンデータから、位置情報メモリ５３ｂに格納された読取データにおける表示画面２ａの座標ａ〜ｌに基づいて、表示画面２ａに対応した矩形領域の画像データを切り出し、加筆画像情報を作成する（Ｓ１２４）。なお、本第３実施例では、読取データの読み取り時（図１６のＳ９２）と本スキャンデータの読み取り時（図１６のＳ１４１）とで、スキャナ７０に対する表示装置３０の位置を固定しておくことで、読取データにおける表示画面２ａの座標ａ〜ｌに基づいて、本スキャンデータにおける表示画面２ａに対応した矩形領域の画像データを切り出すことができる。
【０１０８】
そして、位置情報メモリ５３ｂに格納された読取データにおける位置マーク３９の各交点ａ〜ｌ（図１３（ａ）参照）が、表示画面２ａの対応する各座標（図１３（ｂ））に一致するように、加筆画像情報の変換条件が設定され、その条件に基づいて、加筆画像情報を回転、拡大または縮小し、元画像情報メモリに記憶された元画像情報と位置合わせをして合成し、合成画像情報を生成する（Ｓ１２５）。
【０１０９】
次に、生成された合成画像情報を表示装置２０へ送信し（Ｓ１２６）、その合成画像情報を合成画像メモリ５４ａに格納して処理を終了する（Ｓ１２７）。
【０１１０】
第３実施例によれば、まず読み取りモードにおいて、読取データにおける位置マーク３９の各交点ａ〜ｌの座標が取得され、その座標が表示画面２ａの所定の座標に一致するように、元画像情報と加筆画像情報とが位置合わせがされて合成される。よって、位置あわせのための基準となる点が多いため、元画像５と加筆画像８との位置関係の精度が高い合成画像情報を生成することができる。
【０１１１】
次に、図１７および図１８を参照して、本発明の第４実施例について説明する。図１７は、第４実施例の表示装置２０及び表示装置に接続された読取装置であるハンディスキャナ８０およびデジタルカメラ９０の構成を示すブロック図である。なお、この第４実施例において、上述した第２実施例と同一の部分には同一の符号を付して、その説明は省略する。
【０１１２】
図１７に示すように、第４実施例の表示装置２０は、Ｉ／Ｆ５６（図６参照）を介して、ハンディスキャナ８０とデジタルカメラ９０とに接続され、データの入出力が可能に構成されている。ハンディスキャナ８０は、表示装置２０の入力部３が設けられた側の面をなぞりながら光を当てて、反射光から入力部３または表示画面２ａの画像を読み取るイメージスキャナである。デジタルカメラ９０は、ＣＣＤを使って映像を電気信号に変換し、デジタルデータとしてフラッシュメモリなどの記憶媒体（図示せず）に記憶するカメラである。
【０１１３】
次に、図１８（ａ）（ｂ）を参照して、表示装置２０、ハンディスキャナ８０の動作について説明する。図１８（ａ）は表示装置２０で実行される画像合成処理を示すフローチャートであり、図１８（ｂ）はスキャナ８０で実行される読取処理を示すフローチャートである。なお、デジタルカメラ９０で実行される処理は、スキャナ８０で実行される処理とほぼ同様である。したがって、デジタルカメラ９０を用いた画像合成処理の説明は、以下の「ハンディスキャナ８０」を「デジタルカメラ９０」に読み替えたものに相当するので、説明を省略する。
【０１１４】
図１８（ａ）に示す画像合成処理は、元画像５と加筆画像８とを合成した合成画像に関する合成画像情報を生成する処理である。なお、この画像合成処理に先立って、表示装置２０のＲＡＭ１３（図６参照）には、予め元画像情報が格納されているものとする（請求項の元画像情報記憶ステップに対応）。
【０１１５】
この画像合成処理では、まず、ＲＡＭ１３に記憶された元画像情報に基づく元画像５を表示装置２０の表示画面２ａへ表示させる（Ｓ１７０）。この状態で、使用者は、入力部３へ加筆画像８を適宜書き込むことができる。
【０１１６】
次に、入力部３により加筆された加筆画像８の読み取りが、使用者により指示されるまで待機する（Ｓ１７１）。この指示は、使用者により表示装置２０の制御キー４（図４参照）が操作されることによりおこなわれる。加筆画像８の読み取りが指示されると（Ｓ１７１：Ｙｅｓ）、表示画面２ａを読み取りモードに切り替える（Ｓ１７２）。具体的には、表示画面２ａから元画像５を消去し、白色で構成される背景６を表示画面２ａへ表示することにより加筆画像８を読み取り易いように表示画面２ａの表示内容を変化させるとともに、背景６に重ねて表示画面２ａの四隅に二次元コードで構成される位置マーク９を表示する（図７参照）。そして、読取装置であるハンディスキャナ８０へ読み取りを指示する（Ｓ１７３）。
【０１１７】
図１８（ｂ）を参照してハンディスキャナ８０の動作について説明する。ハンディスキャナ８０は、ＰＣ５０からの読み取り指示があり（Ｓ１７００：Ｙｅｓ）、ハンディスキャナのスタートボタン（図示せず）が使用者により押下されると（Ｓ１７０１：Ｙｅｓ）、加筆画像８と位置マーク９との読み取りを開始する（Ｓ１７０２）。そして、読み取りが完了すると（Ｓ１７０３：Ｙｅｓ）、読取データを表示装置２０へ送信する（Ｓ１７０４）。
【０１１８】
図１８（ａ）に戻り、表示装置２０の処理について説明する。ハンディスキャナ８０から読取データを受信すると（Ｓ１７４：Ｙｅｓ）、その読取データをＲＡＭ１３の読取データメモリ（図示せず）に格納する。そして、その読取データに含まれる位置マーク９に基づいて、読取データに対する表示画面２ａの左上頂点ａ、右上頂点ｂ、左下頂点ｃ、右下頂点ｄの座標を取得し、ＲＡＭ１３の位置情報メモリ（図示せず）に格納する（Ｓ１７５）。
【０１１９】
次に、読取データメモリ５３ｃに格納された読取データから入力部３に対応した領域、すなわち位置情報メモリ５３ｂに格納された表示画面２ａの左上頂点ａ、右上頂点ｂ、左下頂点ｃ、右下頂点ｄで構成される矩形領域の画像データを切り出す（図６（ｂ）参照）。そして、その領域に含まれる位置マーク９の画像データを消去することにより、加筆画像情報を抽出する（Ｓ１７６）。
【０１２０】
次に、抽出された加筆画像情報と元画像情報メモリに記憶された元画像情報とを、位置情報メモリ５３ｂに格納された位置情報に基づいて位置合わせをして合成し、合成画像情報を生成し、生成された合成画像情報に基づいて、表示画面２ａに、元画像５と加筆画像８を合成した合成画像を、表示画面２ａに表示し（Ｓ１７７）、その合成画像情報を、表示装置２０に設けられた外部記憶装置（図示せず）などに保存して処理を終了する（Ｓ１７８）。なお、合成画像情報を生成する処理については、上述した実施例２とほぼ同様であるため説明を省略する。
【０１２１】
第４実施例によれば、第２実施例と同様に、元画像５と加筆画像８との位置関係の精度が高い合成画像情報を生成することができる。また、表示装置２０により合成画像情報を作成可能なので、ＰＣ５０を必要とせず、システムが簡易となる。
【０１２２】
次に、図１９を参照して、本発明の第５実施例について説明する。第５実施例は、第４実施例の表示装置２０に代えて、上述の第３実施例において説明した表示装置３０を用いた構成である。また、第５実施例では、読取装置として、デジタルカメラ９０を用いることとする。
【０１２３】
図１９（ａ）は、第５実施例の表示装置３０において実行される画像合成処理を示すフローチャートであり、（ｂ）は、デジタルカメラ９０において実行される読取処理を示すフローチャートである。
【０１２４】
図１９（ａ）に示すように、入力部３により加筆された加筆画像８の読み取りが、使用者により指示されると、表示画面２ａを読み取りモードに切り替える（Ｓ１７２）。ここで、第５実施例では、上述のように表示装置３０が用いられているので、読み取りモードへ切り替えることにより、表示画面２ａには位置マーク３９（図１２参照）が表示される。そして、読取装置であるデジタルカメラ９０へ読み取りを指示する（Ｓ１７３）。
【０１２５】
そして、デジタルカメラ９０から読取データを受信すると（Ｓ１７４：Ｙｅｓ）、その読取データをＲＡＭ１３の読取データメモリに格納し（Ｓ１７５）、読取データから位置マーク３９が抽出する。そして、抽出された位置マーク３９に基づいて、読取データにおける位置マーク３９の各交点ａ〜ｌの座標を取得し（図１３（ａ）参照）、ＲＡＭ１３の位置情報メモリに格納する（Ｓ１８０）。
【０１２６】
次に、表示画面２ａを、本スキャンモードへ切り替える（Ｓ１８１）。図１２に示すように、本スキャンモードとは、位置マーク３９が表示画面２ａから消去され、表示画面２ａには白色の背景６のみが表示されるモードである。
【０１２７】
次に、デジタルカメラ９０に対し、撮像（本スキャンに相当）の指令をする（Ｓ１８２）。図１９（ｂ）に示すように、デジタルカメラ９０は、表示装置３０から撮像が指示され（Ｓ１８０１：Ｙｅｓ）、スタートボタンが押下されると（Ｓ１８０２：Ｙｅｓ）、表示画面２ａが本スキャンモードに切り替えられた表示装置３０を撮像（本スキャンに相当）する（Ｓ１８０３）。そして、撮像が完了すると（Ｓ１８０４：Ｙｅｓ）、撮像データ（本スキャンデータに相当）を表示装置３０へ送信し（Ｓ１８０５）、処理を終了する。
【０１２８】
図１９（ａ）に戻り、表示装置３０の処理について説明する。デジタルカメラ９０から撮像データを受信すると（Ｓ１８３：Ｙｅｓ）、その受信した撮像データをＲＡＭ１３の撮像メモリ（図示せず）に格納する（Ｓ１８４）。次に、ＲＡＭ１３の撮像メモリに格納された撮像データから、ＲＡＭ１３の位置情報メモリに格納された読取データにおける表示画面２ａの座標ａ〜ｌに基づいて、表示画面２ａに対応した矩形領域を切り出し、加筆画像情報を作成する（Ｓ１８５）。なお、本第５実施例では、読取データの読み取り時（図１７（ａ）のＳ１７３）と撮像データの読み取り時（図１７（ａ）のＳ１８２）とで、デジタルカメラ９０に対する表示装置３０の位置および角度を固定しておくことで、読取データにおける表示画面２ａの座標ａ〜ｌに基づいて、撮像データにおける表示画面２ａに対応した矩形領域を切り出すことができる。
【０１２９】
そして、加筆画像情報を元画像情報と位置合わせをして合成し、合成画像情報を生成する（Ｓ１８６）。そして、その合成画像情報を表示画面２ａに表示し（Ｓ１８７）、その合成画像情報を、表示装置３０に設けられた外部記憶装置（図示せず）などに保存して処理を終了する（Ｓ１８８）。なお、合成画像情報の生成の方法については、第３実施例のＳ１２５（図１４）の処理とほぼ同様であるため説明を省略する。
【０１３０】
第５実施例によれば、第３実施例と同様に、元画像５と加筆画像８との位置関係の精度が高い合成画像情報を生成することができる。また、表示装置３０により合成画像情報を作成可能なので、ＰＣ５０を必要とせず、システムが簡易となる。
【０１３１】
なお、請求項８記載の読取モード手段としては、画像合成処理（図１８（ａ））におけるＳ１７２の処理が該当し、読取データ作成手段としては、画像合成処理（図１８（ａ））におけるＳ１７３の処理が該当し、読取データ受信手段としては、画像合成処理（図１８（ａ））におけるＳ１７４の処理が該当し、合成画像情報生成手段としては、画像合成処理（図１８（ａ））におけるＳ１７７の処理が該当する。
【０１３２】
また、請求項１０記載の読取モード手段としては、画像合成処理（図１９（ａ））におけるＳ１７２の処理が該当し、読取データ作成手段としては、画像合成処理（図１９（ａ））におけるＳ１７３の処理が該当し、読取データ受信手段としては、画像合成処理（図１９（ａ））におけるＳ１７４の処理が該当し、加筆画像位置決定手段としては、画像合成処理（図１９（ａ））におけるＳ１８０の処理が該当し、位置マーク消去手段としては、画像合成処理（図１９（ａ））におけるＳ１８１の処理が該当し、本スキャンデータ作成手段としては、画像合成処理（図１９（ａ））におけるＳ１８２の処理が該当し、本スキャンデータ受信手段としては、画像合成処理（図１９（ａ））におけるＳ１８３の処理が該当し、合成画像情報生成手段としては、画像合成処理（図１９（ａ））におけるＳ１８６の処理が該当する。
【０１３３】
また、請求項１２記載の元画像表示ステップとしては、画像合成処理（図９）におけるＳ１の処理が該当し、読取モードステップとしては、画像合成処理（図９）におけるＳ３の処理が該当する。
【０１３４】
また、請求項１５記載の読取データ作成ステップとしては、画像合成処理（図９）におけるＳ４の処理が該当し、読取データ受信ステップとしては、画像合成処理（図９）におけるＳ５の処理が該当する。合成画像情報生成ステップとしては、画像合成処理（図９）におけるＳ８の処理が該当する。
【０１３５】
また、請求項１７記載の読取モードステップとしては、画像合成処理（図１４）におけるＳ３の処理が該当し、読取データ作成ステップとしては、画像合成処理（図１４）におけるＳ４の処理が該当し、読取データ受信ステップとしては、画像合成処理（図１４）におけるＳ５の処理が該当し、加筆画像位置決定ステップとしては、画像合成処理（図１４）におけるＳ６の処理が該当し、位置マーク消去ステップとしては、画像合成処理（図１４）におけるＳ１２０の処理が該当し、本スキャンデータ作成ステップとしては、画像合成処理（図１４）におけるＳ１２１の処理が該当し、本スキャンデータ受信ステップとしては、画像合成処理（図１４）におけるＳ１２２の処理が該当し、合成画像情報生成ステップとしては、画像合成処理（図１４）におけるＳ１２５の処理が該当する。
【０１３６】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１３７】
上述の第１実施例から第５実施例において、表示装置１０，２０，３０は、読み取りモードへ切り替えられると、表示画面２ａから元画像５が消去されていたが、読み取りモードへ切り替えられると、元画像５の読み取り感度が低下または実質的になくなるように、表示画面２ａの表示内容が変化させられるものであってもよい。具体的には、加筆画像８の色に比較して読み取り感度の低い色または読み取り感度の実質的にない色で元画像５が表示されるように、元画像５の表示色の明度、色度または彩度を切り替えればよい。ここで、読み取り感度が低い色とは、読取装置が読取対象物に対して照射する光の色に近似した色のことであり、読み取り感度が実質的になくなる色とは、読取装置が読取対象物に対して照射する光の色に略同一の色のことである。
【０１３８】
第２実施例および第３実施例の表示装置２０は、二次元コードで構成される位置マーク９を表示画面２ａの四隅に表示させるものであったが、位置マーク９が表示装置２０に予め設けられているものであっても良い。図２０は、入力部３と表示画面との外周を支持する枠体２１０において、表示画面２ａの外周の四隅に位置マーク２０９が予め設けられている表示装置２００の斜視図である。このように、位置マーク９が予め設けられている場合であっても、枠体２１０のうち入力部３が露出された面に設けることで、入力部３に加筆された加筆画像８を読み取る際に、加筆画像８と共に位置マーク２０９を同時に読み取ることができる。
【０１３９】
また、第３実施例および第５実施例において、位置マークは互いに直行する複数の直線から構成されていたが、所定の間隔で所定の位置に表示されることにより、表示画面２ａの座標などの位置情報を示すことができるものであれば、例えば、横線のみ、縦線のみなどの平行な複数の直線から構成されるものであってもよい。
【０１４０】
また、第２実施例から第５実施例において、合成画像情報が生成されると必ず保存されていたが、例えば、合成画像情報に基づいて、表示装置の表示画面２ａに合成画像を表示させた後、使用者がその合成画像を確認し、その合成画像情報の保存を選択した場合に保存をし、その合成画像情報の保存を選択しなかった場合には、その合成画像情報を保存せず、再度、読取データ作成処理から実行するように構成されていてもよい。
【０１４１】
また、第２実施例および第３実施例において、ＰＣ５０から表示装置に対し読取モードへ移行する指示を出した後（図９，図１４のＳ３の処理）、表示装置の表示画面２ａが読取モードに切り替えられるまでに所定時間を有する場合には、その読取モードへ移行する指示を出した後、例えば所定時間待機してから、スキャナ７０に対し読み取りを指示するよう構成してもよい（図９、図１４のＳ４の処理）。このようにすれば、確実に表示装置の表示画面が読取モードへ切り替えられた状態で、読取データを作成できる。
【０１４２】
また、上述の実施例において、前記スキャナ７０、ハンディスキャナ８０またはデジタルカメラ９０を、赤外線通信やＢｌｕｅｔｏｏｔｈ（登録商標）、無線タグなどの近距離通信手段により、表示装置１０，２０，３０を認識可能なように構成した場合には、スキャナ７０、ハンディスキャナ８０またはデジタルカメラ９０が、読み取りの開始の前に、表示装置１０，２０，３０に対し、読み取りの開始を知らせる開始データを送信し、その送信された開始データを受信した表示装置１０，２０，３０がその開始データを受信したことに基づいて、表示画面２ａを読取モードに切り替えるものであっても良い。このようにすれば、スキャナ７０、ハンディスキャナ８０またはデジタルカメラ９０における読み取りの開始の前に、開始データを受信したことに基づいて、表示装置１０，２０，３０の表示画面２ａの表示内容が自動的に読取モードに切り替えることができる。
【図面の簡単な説明】
【０１４３】
【図１】本発明の第１実施例である表示装置の斜視図である。
【図２】第１実施例の表示装置の表示画面を構成する表示パネルの拡大断面図である。
【図３】元画像が表示された状態で、入力部に加筆画像が加筆された表示装置の斜視図である。
【図４】第１実施例の表示装置の構成を示すブロック図である。
【図５】表示画面が読み取りモードに切り替えられた表示装置を示す斜視図である。
【図６】第２実施例の表示制御プログラムを実行するＰＣ及びＰＣに接続された表示装置及びＰＣに接続された読取装置であるスキャナの構成を示すブロック図である。
【図７】表示画面が読み取りモードに切り替えられた表示装置を示す斜視図である。
【図８】（ａ）は、スキャナにより読み取られた読取データを示す概念図であり、（ｂ）は、読取データから抽出された加筆画像情報を示す図であり、（ｃ）は、元画像と加筆画像とを位置合わせして重ね合わせた状態を示す概念図である。
【図９】ＰＣで実行される画像合成処理を示すフローチャートである。
【図１０】表示装置で実行される表示処理を示すフローチャートである。
【図１１】スキャナで実行されるスキャナ処理を示すフローチャートである。
【図１２】読み取りモードに切り替えられた第３実施例の表示装置を示す斜視図である。
【図１３】（ａ）は、読取データから抽出された位置マークを示す図であり、（ｂ）は、表示画面における位置マークの表示位置を示す図である。
【図１４】ＰＣで実行される画像合成処理を示すフローチャートである。
【図１５】表示装置で実行される表示処理を示すフローチャートである。
【図１６】スキャナで実行されるスキャナ処理を示すフローチャートである。
【図１７】第４実施例の表示装置及び表示装置に接続された読取装置であるハンディスキャナおよびデジタルカメラの構成を示すブロック図である。
【図１８】（ａ）は第４実施例の表示装置で実行される画像合成処理を示すフローチャートであり、（ｂ）はスキャナで実行される読取処理を示すフローチャートである。
【図１９】（ａ）は第５実施例の表示装置で実行される画像合成処理を示すフローチャートであり、（ｂ）は、デジタルカメラ９で実行される読取処理を示すフローチャートである。
【図２０】表示画面の四隅を示す位置マークが予め設けられている表示装置の斜視図である。
【符号の説明】
【０１４４】
２ａ              表示画面
３                入力部
５                元画像
６                背景
８                加筆画像
９，３９          位置マーク
１０，２０，３０  表示装置
１１              ＣＰＵ（読取モード手段）
１３ａ            元画像情報メモリ（元画像情報記憶手段）
１５              ドライバ（元画像表示手段）
５０              ＰＣ（コンピュータ）
７０              スキャナ（読取装置）
８０              ハンディスキャナ（読取装置）
９０              デジタルカメラ（読取装置）
【図１】
2006113232.tif 000003
【図２】
2006113232.tif 000004
【図３】
2006113232.tif 000005
【図４】
2006113232.tif 000006
【図５】
2006113232.tif 000007
【図６】
2006113232.tif 000008
【図７】
2006113232.tif 000009
【図８】
2006113232.tif 000010
【図９】
2006113232.tif 000011
【図１０】
2006113232.tif 000012
【図１１】
2006113232.tif 000013
【図１２】
2006113232.tif 000014
【図１３】
2006113232.tif 000015
【図１４】
2006113232.tif 000016
【図１５】
2006113232.tif 000017
【図１６】
2006113232.tif 000018
【図１７】
2006113232.tif 000019
【図１８】
2006113232.tif 000020
【図１９】
2006113232.tif 000021
【図２０】
2006113232.tif 000022